(57)【要約】【課題】線状部材を設けることなく、耕耘軸への草や藁の長稈巻き付きを防止することができるロータリ耕耘装置の草藁巻付防止構造を提供すること。【解決手段】耕耘軸の外周面に、その軸線方向に間隔をあけて複数の耕耘爪取付体を突出状に取り付けて、各耕耘爪取付体に耕耘爪の基端部を取り付けたロータリ耕耘装置であって、耕耘軸の軸線方向に隣接する耕耘爪取付体間に、耕耘軸の外周面を囲繞して耕耘軸を大径化する草藁巻付防止体を後付け可能とした。【選択図】図５
2015084739.tif 000002
【特許請求の範囲】
【請求項１】
耕耘軸の外周面に、その軸線方向に間隔をあけて複数の耕耘爪取付体を突出状に取り付けて、各耕耘爪取付体に耕耘爪の基端部を取り付けたロータリ耕耘装置であって、
耕耘軸の軸線方向に隣接する耕耘爪取付体間に、耕耘軸の外周面を囲繞して耕耘軸を大径化する草藁巻付防止体を後付け可能としていることを特徴とするロータリ耕耘装置の草藁巻付防止構造。
【請求項２】
草藁巻付防止体は、耕耘軸の周りに複数個の巻付防止片を配置するとともに、隣接する巻付防止片同士を接続して形成することを特徴とする請求項１記載のロータリ耕耘装置の草藁巻付防止構造。
【請求項３】
巻付防止片は、中空ケース状に形成していることを特徴とする請求項２記載のロータリ耕耘装置の草藁巻付防止構造。
【請求項４】
巻付防止片の周面部の両端部には、連結具を収容するための収容凹部を形成し、隣接する巻付防止片の端部同士を連結具により連結するとともに、連結具は収容凹部内に収容することを特徴とする請求項３記載のロータリ耕耘装置の草藁巻付防止構造。
【発明の詳細な説明】
【技術分野】
【０００１】
本発明は、ロータリ耕耘装置の草藁巻付防止構造に関する。
【背景技術】
【０００２】
従来、ロータリ耕耘装置の一形態として、耕耘軸の外周面に、その軸線方向に間隔をあけて複数の耕耘爪取付体を突出状に取り付け、各耕耘爪取付体に耕耘爪の基端部を取り付けて、両最外側に位置する耕耘爪取付体間に取付ステーを介して耕耘軸と略同一長さの線状部材を横架したものがある（特許文献１参照）。
【０００３】
上記したロータリ耕耘装置では、雑草のすきこみや稲の刈取後の耕耘を行った際に、線状部材により耕耘軸に草や藁の長稈が巻き付くのを防止して、耕耘軸の回動抵抗が大きくなるのを抑制している。
【先行技術文献】
【特許文献】
【０００４】
【特許文献１】実開平４−１１０４０２
【発明の概要】
【発明が解決しようとする課題】
【０００５】
ところが、上記したロータリ耕耘装置では、線状部材に直接長稈が巻き付くことがあり、それが原因で耕耘軸の回動抵抗が大きくなって、耕耘効率が低下することがある。また、線状部材は、連結支持されている両端部に応力集中が生じて、連結部が損傷され易いという不具合を有しているとともに、圃場内の石等に衝突した際には破損され易いという不具合を有している。
【０００６】
そこで、本発明は、線状部材を設けることなく、耕耘軸への草や藁の長稈巻き付きを防止することができるロータリ耕耘装置の草藁巻付防止構造を提供することを目的とする。
【課題を解決するための手段】
【０００７】
請求項１記載の発明は、耕耘軸の外周面に、その軸線方向に間隔をあけて複数の耕耘爪取付体を突出状に取り付けて、各耕耘爪取付体に耕耘爪の基端部を取り付けたロータリ耕耘装置であって、耕耘軸の軸線方向に隣接する耕耘爪取付体間に、耕耘軸の外周面を囲繞して耕耘軸を大径化する草藁巻付防止体を後付け可能としていることを特徴とする。
【０００８】
請求項２記載の発明は、請求項１記載の発明であって、草藁巻付防止体は、耕耘軸の周りに複数個の巻付防止片を配置するとともに、隣接する巻付防止片同士を接続して形成することを特徴とする。
【０００９】
請求項３記載の発明は、請求項２記載の発明であって、巻付防止片は、中空ケース状に形成していることを特徴とする。
【００１０】
請求項４記載の発明は、請求項３記載の発明であって、巻付防止片の周面部の両端部には、連結具を収容するための収容凹部を形成し、隣接する巻付防止片の端部同士を連結具により連結するとともに、連結具は収容凹部内に収容することを特徴とする。
【発明の効果】
【００１１】
本発明によれば、耕耘軸の軸線方向に隣接する耕耘爪取付体間に筒状の草藁巻付防止体を配置して、草藁巻付防止体により耕耘軸の外周面を被覆することで、耕耘軸に草や藁の長稈が巻き付くのを堅実に防止することができて、耕耘軸の回動抵抗が大きくなるのを抑制することができる。そのため、すきこみ深さを良好に確保することができる。その結果、耕耘効率を良好に確保することができる。
【図面の簡単な説明】
【００１２】
【図１】本実施形態に係るロータリ耕耘装置と、それを牽引するトラクタの側面図。
【図２】ロータリ耕耘装置の側面説明図。
【図３】ロータリ耕耘装置の正面説明図。
【図４】図３のI-I線断面図。
【図５】図３のII-II線断面図。
【図６】草藁巻付防止体の分解断面説明図。
【図７】草藁巻付防止体の分解斜視説明図。
【発明を実施するための形態】
【００１３】
以下に、本発明の実施形態を、図面を参照しながら説明する。すなわち、図１に示すＡは本発明に係るロータリ耕耘装置、Ｂはロータリ耕耘装置Ａを牽引するトラクタ，ＣはトラクタＢとロータリ耕耘装置Ａとを連結する３点リンク機構である。トラクタＢは、３点リンク機構Ｃを介してロータリ耕耘装置Ａを昇降自在に連結して、ロータリ耕耘装置Ａを牽引しながら走行可能としている。
【００１４】
次に、上記したロータリ耕耘装置ＡとトラクタＢと３点リンク機構Ｃの構成について、それぞれこの順番で説明する。
【００１５】
［ロータリ耕耘装置Ａの説明］
ロータリ耕耘装置Ａは、図１〜図３に示すように、相互に噛合する入・出力伝動ギヤ（図示せず）を収容した板金製のギヤボックス１０の左右側壁に、左右方向に軸線を向けた円筒状の左右側メインビーム１１,１２の内側端部を連通連結している。左側メインビーム１１の外側端部には上下方向に縦長の伝動ケース１３の上端部を連通連結する一方、右側メインビーム１２の外側端部には上下方向に縦長の軸受け体１４の上端部を連結し、伝動ケース１３の下端部と軸受け体１４の下端部との間に、左右方向に軸線を向けた耕耘軸１５をその軸線廻りに回動自在に横架状に軸架している。そして、ギヤボックス１０の前壁に開口した開口部１６から前後方向に軸線を向けた入力軸１７を突出させ、入力軸１７にはギヤボックス１０内に配設した入力伝動ギヤを連動連結している。左側メインビーム１１中には左右方向に軸線を向けた伝動軸１８を軸架しており、伝動軸１８の内側端部（右側端部）には出力伝動ギヤを連動連結するとともに、出力伝動ギヤと入力伝動ギヤとを噛合させて、伝動軸１８と入力軸１７とを連動連結している。伝動軸１８の外側端部（左側端部）には伝動ケース１３内に設けたチェン機構（図示せず）を介して耕耘軸１５の左側端部を連動連結している。耕耘軸１５の周面には多数の耕耘爪２２を軸線方向に間隔を開けて、かつ、周方向に位置ずれさせて取り付けている。
【００１６】
伝動ケース１３の上部と軸受け体１４の上部との間には、耕耘軸１５の上方を被覆するように円弧状に湾曲させて形成したロータリカバー２３を張設している。ロータリカバー２３の後端縁部には、リヤカバー２４の上端縁部（基端縁部）を枢支連結し、リヤカバー２４の下端縁部（先端縁部）を圃場面上に滑動させて、耕耘爪２２により耕耘された凹凸状の圃場面をリヤカバー２４により均平に整地するようにしている。
【００１７】
ロータリカバー２３とリヤカバー２４との間には、上下方向に軸線を向けた左右一対のハンガーロッド２５,２５を介設して、両ハンガーロッド２５,２５により圧縮スプリング２６，２６を介してリヤカバー２４を弾性支持している。圧縮スプリング２６は、ロータリ耕耘装置Ａが上昇された際に、リヤカバー２４に対して圧縮作用（押圧弾性付勢）することで、リヤカバー体１９が急激に下方へ回動するのを抑制して、リヤカバー２４が耕耘爪２２と干渉するのを防止している。２７はハンガーロッド２５の上部を支持する上部ステー、２８はハンガーロッド２５の下部を支持する下部ステーである。２９はリヤカバー２４の側方を閉塞するサイドカバーである。
【００１８】
ギヤボックス１０の上壁には、前上方へ向けて伸延する左右一対のトップリンク連結用ブラケット３０,３０の下端部を、左右方向に軸線を向けた枢軸３１を介して枢支連結している。トップリンク連結用ブラケット３０,３０の上部間には、左右方向に軸線を向けた上部連結用ピン３２を貫通状に横架している。
【００１９】
左側メインビーム１１の内側部には、前下方へ向けて伸延する左右一対のロワリンク連結用ブラケット３３,３３の後端部（基端部）を取り付け、ロワリンク連結用ブラケット３３,３３の前端部（先端部）には、左右方向に軸線を向けたロワリンク連結用ピン３４を貫通状に横架している。ロワリンク連結用ブラケット３３,３３の後部には、左右方向に軸線を向けた連結用ピン３５を貫通状に横架し、内側のロワリンク連結用ブラケット３３と左側のトップリンク連結用ブラケット３０との間には、連結用ピン３５とトップリンク連結用ピン３２を介して上下方向に伸延する補強ブラケット３６を介設している。
【００２０】
右側メインビーム１２の内側部には、前下方へ向けて伸延する左右一対のロワリンク連結用ブラケット４０,４０の後端部（基端部）を取り付け、ロワリンク連結用ブラケット４０,４０の前端部（先端部）には、左右方向に軸線を向けたロワリンク連結用ピン４１を貫通状に横架している。ロワリンク連結用ブラケット４０,４０の後部には、左右方向に軸線を向けた連結用ピン４２を貫通状に横架し、内側のロワリンク連結用ブラケット４０と右側のトップリンク連結用ブラケット３０との間には、連結用ピン４２とトップリンク連結用ピン３２を介して上下方向に伸延する補強ブラケット４３を介設している。
【００２１】
左側のロワリンク連結用ブラケット３３,３３と右側のロワリンク連結用ブラケット４０,４０との間には、左右方向に軸線を向けた連結ロッド４４を貫通状に横架して、左右側のロワリンク連結用ブラケット３３,３３,４０,４０を補強している。
【００２２】
耕耘軸１５には、図３〜図５に示すように、その同一円周上において、扁平筒状に形成した複数個（本実施形態では４個）の耕耘爪取付体５１を、円周方向に間隔をあけて半径方向に向けて突設している。そして、同一円周上に複数個突設された耕耘爪取付体５１の群を一つのユニットとして、耕耘軸１５の軸線方向に間隔をあけて多数のユニットを設けている。しかも、左右方向に隣接する各ユニットは、相互に耕耘軸１５の一側端部から他側端部へ向けて順次円周方向に僅かに位置ずれさせて配置している。そして、左右方向に隣接する耕耘爪取付体５１は、耕耘軸１５の周面上において同一の仮想の螺旋状の線上に配置されている。つまり、本実施形態では、４本の仮想の螺旋状の線上に、それぞれ多数個の耕耘爪取付体５１が耕耘軸１５の軸線方向に間隔をあけて配置されている。
【００２３】
各耕耘爪取付体５１には、突出端部（先端部）５１ａから単一の耕耘爪２２の基端部を挿入して、耕耘爪２２の基端部に形成したボルト孔（図示せず）と各耕耘爪取付体５１の側壁に形成したボルト挿通孔（図示せず）とを整合させるとともに、整合させた両孔中に取付ボルト５２ａを挿通してナット５２ｂを締結することで、各耕耘爪取付体５１にそれぞれ耕耘爪２２を取り付けている。Ｗ３は、耕耘軸１５の外周面から突出する耕耘爪取付体５１の突出幅である。
【００２４】
上記のように構成したロータリ耕耘装置Ａにおいて、耕耘軸１５の軸線方向に隣接する耕耘爪取付体５１,５１間には、耕耘軸１５の外周面を囲繞して耕耘軸１５を大径化する草藁巻付防止体５０を後付け可能としている。本実施形態は、耕耘軸１５に取り付けた草藁巻付防止体５０の構成に特徴を有しており、以下に、この草藁巻付防止体５０の構成について図３〜図７を参照しながら詳説する。
【００２５】
すなわち、草藁巻付防止体５０は、耕耘軸１５の周りに複数個の巻付防止片５３を配置するとともに、隣接する巻付防止片５３,５３同士を接続して形成している。本実施形態では、同一形状となした一対の巻付防止片５３,５３同士を、耕耘軸１５の外周面を囲繞するように対向状態に接続して形成している。
【００２６】
巻付防止片５３は、半円筒状に形成した内周壁部５４と、内周壁部５４よりも大径の半円筒状に形成して内周壁部５４の外方に間隔をあけて配置した外周壁部５５と、外周壁部５５の軸線方向の一側縁部及び内周壁部５４の軸線方向の一側縁部間に架設した一側壁部５６と、外周壁部５５の軸線方向の他側縁部及び内周壁部５４の軸線方向の他側縁部間に架設した他側壁部５７と、内外周壁部５４,５５及び両側壁部５６,５７の一側端縁部を閉塞する一側端壁部５８と、内外周壁部５４,５５及び両側壁部５６,５７の他側端縁部を閉塞する他側端壁部５９とから中空ケース状に形成している。本実施形態では、巻付防止片５３を一体にブロー成形して、耕耘軸１５への負荷を軽減するために軽量に成形している。なお、巻付防止片５３を耕耘軸１５への負荷が軽減可能な軽量素材で成形する場合には、中実ケース状に成形することもできる。
【００２７】
内周壁部５４は、その内周面を円形パイプ状に形成した耕耘軸１５の外周面に面接触して嵌合可能な半円筒状に形成し、軸線方向の幅Ｗ１を、耕耘軸１５の軸線方向に隣接する耕耘爪取付体５１,５１の間隔Ｗ２よりもやや短幅に形成している。外周壁部５５は、その外径を耕耘爪取付体５１の突出幅Ｗ３よりもやや大径となした半円筒状に形成し、軸線方向の幅を内周壁部５４の軸線方向の幅Ｗ１と同一幅に形成している。一側壁部５６は、外周壁部５５の軸線方向の一側縁部及び内周壁部５４の軸線方向の一側縁部間を閉塞可能な四角形板状に形成し、その幅を内周壁部５４の軸線方向の幅Ｗ１と同一幅に形成している。他側壁部５７は、外周壁部５５の軸線方向の他側縁部及び内周壁部５４の軸線方向の他側縁部間を閉塞可能な横長の長方形板状に形成し、長手幅を内周壁部５４の軸線方向の幅Ｗ１と同一幅に形成している。一側端壁部５８は、内外周壁部５４,５５及び両側壁部５６,５７の一側端縁部を閉塞可能な半リング板状に形成している。他側端壁部５９は、内外周壁部５４,５５及び両側壁部５６,５７の他側端縁部を閉塞可能な半リング板状に形成している。
【００２８】
外周壁部５５の両端部には、連結具を収容するための収容凹部６０,６１を陥没状に形成している。各収容凹部６０（６１）には各側壁部５６（５７）と平行状態に対向する平坦な平坦面壁部６２（６３）を形成し、各平坦面壁部６２（６３）と各側壁部５６（５７）の中途部間に、両壁部６２（６３）,５６（５７）と直交状態に円筒状の連通孔形成用筒部６４（６５）を介設して、各連通孔形成用筒部６４（６５）中に、各収容凹部６０（６１）と外部とを連通する連通孔６６（６７）を形成している。各連通孔６６（６７）中には連結具としての連結ボルト６８を挿通可能としている。各収容凹部６０（６１）内には、各連通孔６６（６７）中に挿通した連結ボルト６８、ないしは、連結ボルト６８に締結するナット６９を、外周壁部５５の外周面から外方へ突出させることがないように収容可能としている。
【００２９】
このように構成した草藁巻付防止体５０は、同一形状に形成した一対の巻付防止片５３,５３を、ロータリ耕耘装置Ａに装着された耕耘軸１５に、次のようにして後付けすることができる。すなわち、耕耘軸１５の軸線方向に隣接する耕耘爪取付体５１,５１間において、耕耘軸１５を間に挟むように一対の巻付防止片５３,５３を対向配置し、一方の巻付防止片５３の一側壁部５６と他方の巻付防止片５３の他側壁部５７とを突き合わせ状態に面接触させるとともに、一方の巻付防止片５３の他側壁部５７と他方の巻付防止片５３の一側壁部５６とを突き合わせ状態に面接触させる。続いて、各側壁部５６,５７に形成した連通孔６６,６７同士を符合させて、符合させた連通孔６６,６７中に連結ボルト６８を挿通するとともに、連結ボルト６８の先端側にナット６９を締結することで、耕耘軸１５に１個の草藁巻付防止体５０を装着することができる。同様の作業を繰り返すことにより、耕耘軸１５に所望個数の草藁巻付防止体５０を装着して、耕耘軸１５を大径化して、耕耘軸１５に茎稈等が巻き付くのを防止することができる。
【００３０】
この際、耕耘軸１５の外周面を囲繞するように装着している草藁巻付防止体５０は、その円周長が耕耘作業時に圃場に残置されている茎稈の長さよりも大きくなるように外径を設定することで、茎稈が草藁巻付防止体５０の外周面に巻き付かないようにしている。例えば、茎稈の長さが４０〜５０ｃｍと仮定した場合には、草藁巻付防止体５０の周長を５０ｃｍ以上に形成している。また、連結ボルト６８及びナット６９は、外周壁部５５の外周面から外方へ突出されることがないように収容凹部６０（６１）内に収容されるため、茎稈等の巻付原因とならない。また、草藁巻付防止体５０を形成する巻付防止片５３の外周壁部５５は、その外径を隣接する草藁巻付防止体５０,５０間に位置する耕耘爪取付体５１の突出幅Ｗ３よりもやや大径となした半円筒状に形成しているため、耕耘爪取付体５１に茎稈等が巻き付くのを抑制することができる。
【００３１】
［トラクタＢの説明］
トラクタＢは、図１に示すように、左右一対の前車輪１００,１００と左右一対の後車輪１０１,１０１とにより走行機体１０２が支持されている。走行機体１０２は、エンジン支持機枠１０３上にエンジン１０４を搭載し、エンジン１０４の後端部に、前後方向に伸延する筒状のクラッチハウジング１０５の前端部を連結し、クラッチハウジング１０５の後端部にミッションケース１０６を連結して構成している。エンジン支持機枠１０３は、左右方向に伸延する筒状のフロントアクスルケース１０７を介して左右一対の前車輪１００,１００により支持されている。ミッションケース１０６は、その左右側壁から外側方へ向けて突設したリヤアクスルケース１０８,１０８を介して左右一対の後車輪１０１,１０１により支持されている。１０９は、フロントアクスルケース１０７中に軸架して、前車輪１００,１００に連動連結した前車軸である。１１０は、リヤアクスルケース１０８,１０８中に軸架して、後車輪１０１,１０１に連動連結した後車軸である。１１１は、エンジン１０４を開閉蓋自在に被覆しているボンネットである。
【００３２】
クラッチハウジング１０５及びミッションケース１０６の上には、運転部１１２を配設している。運転部１１２は、エンジン１０４の背後にダッシュボード１１３を設け、ダッシュボード１１３にハンドル１１４を取り付け、ハンドル１１４の後方に座席１１５を配置している。ミッションケース１０６上には、油圧昇降ケース１１６を載設し、油圧昇降ケース１１６の左右側壁には、左右方向に軸線を向けたリフトアーム回動支軸１１８を介して左右一対のリフトアーム１１７,１１７を後上方へ向けて突出させて、両リフトアーム１１７,１１７を昇降作動可能としている。１１９は油圧昇降ケース１１６の後壁に設けた連結片、１２０はミッションケース１０６上に配置した燃料タンク、１２１はリヤアクスルケース１０８,１０８間に跨架状に立設した門型のロプスフレームである。１２２はミッションケース１０６の後壁から後方へ突出させたＰＴＯ軸であり、ＰＴＯ軸１２２にドライブシャフト１２３を介してロータリ耕耘装置Ａに設けたギヤボックス１０を連動連結して、ロータリ耕耘装置Ａに耕耘動力を伝達するようにしている。
【００３３】
［３点リンク機構Ｃの説明］
３点リンク機構Ｃは、図１に示すように、前後方向に軸線を向けたトップリンク１３０及び左右一対のロワリンク１３１,１３１と、上下方向に軸線を向けた左右一対のリフトリンク１３２,１３２とを具備している。
【００３４】
トップリンク１３０は、トラクタＢの連結片１１９に前端部を連結する一方、ロータリ耕耘装置Ａに設けたトップリンク連結用ブラケット３０,３０の上端部間に上部連結用ピン（トップリンク連結用ピン）３２を介して後端部を連結している。左右一対のロワリンク１３１,１３１は、トラクタＢに設けたミッションケース１０６の左右側壁下部に、各前端部を連結する一方、ロータリ耕耘装置Ａに設けた左右一対のロワリンク連結用ブラケット３３,３３にロワリンク連結用ピン１３４,１３４を介して各後端部を連結している。
【符号の説明】
【００３５】
Ａ  ロータリ耕耘装置
Ｂ  トラクタ
Ｃ  ３点リンク機構
１５  耕耘軸
２２  耕耘爪
５０  草藁巻付防止体
５３  巻付防止片
６０  収容凹部
６１  収容凹部
【図１】
2015084739.tif 000003
【図２】
2015084739.tif 000004
【図３】
2015084739.tif 000005
【図４】
2015084739.tif 000006
【図５】
2015084739.tif 000007
【図６】
2015084739.tif 000008
【図７】
2015084739.tif 000009